(57)【要約】【課題】ラインレーザー光のラインの向きを一定の方向を向くようにレーザーモジュールをケース内に配置可能なラインレーザー光照射装置を提供する。【解決手段】ラインレーザー光照射装置のケース内の底板にはレーザーモジュールを保持する固定具を位置決め状態に配置する配置部が設けられている。固定具は、レーザーモジュールを内径部に保持する円筒状のクランプ部と、クランプ部の円筒側壁に面を向けて形成された基板部とを備え、ラインレーザー光のラインが基板部の幅方向に対して垂直又は平行となるようにレーザーモジュールがクランプ部に周方向への回動を阻止した状態で保持される。配置部は、レーザーモジュールが垂直に立つ状態且つ周方向への回動阻止状態となるように固定具を配設し、固定具の基板部の幅方向がケースの一側板の幅方向と垂直又は平行に配置されるように基板部の高さ方向一端部側を受け入れる構成とする。【選択図】図６
2018080459.tif 000002
【特許請求の範囲】
【請求項１】
円柱状の外形を有し、一方の円柱端面から照射面に対してライン状のレーザー光を出射するレーザーモジュールと、
レーザーモジュールのラインレーザー光を出射する円柱端面を臨ませる窓部を設ける四角形形状の底板、及び底板の外周縁から四角形筒状に立設する前後左右の側板を有し、内部にレーザーモジュールが格納されているケースとを備え、
ケース内の底板には、レーザーモジュールを保持する固定具を位置決め状態に配置する配置部が設けられ、
固定具は、レーザーモジュールを内径部に保持する円筒状のクランプ部と、クランプ部の円筒側壁に面を向けて形成された基板部とを備え、基板部においてクランプ部に保持するレーザーモジュールの円柱軸線方向を高さ方向とし、この高さ方向に対して直交方向を幅方向とした場合、レーザーモジュールのラインレーザー光のラインが基板部の幅方向に対して垂直又は平行となるようにレーザーモジュールがクランプ部に周方向への回動を阻止した状態で保持され、
配置部は、レーザーモジュールがケース内の底板に垂直に立つ状態となり且つ周方向への回動阻止状態となるように固定具を配設する部分であり、固定具の基板部の幅方向がケースの一側板の幅方向と垂直又は平行に配置されるように基板部の高さ方向一端部側を受け入れる構成とするラインレーザー光照射装置。
【請求項２】
請求項１に記載のラインレーザー光照射装置において、
配置部に配置されたレーザーモジュールの上端部側を保持する押え具がケース内に取付けられているラインレーザー光照射装置。
【請求項３】
請求項１又は２に記載のラインレーザー光照射装置において、
配置部は、ケース内の底板から立設され、固定具の基板部の高さ方向一端部側におけるクランプ部形成部分を除く範囲を包囲する壁板により構成されているラインレーザー光照射装置。
【請求項４】
請求項１〜３のいずれか１項に記載のラインレーザー光照射装置において、
配置部に配置された固定具に対して基板部に当接可能な第１リブとクランプ部に当接可能な第２リブとが対向するようにケース内の側板に形成されているラインレーザー光照射装置。
【請求項５】
請求項１〜３のいずれか１項に記載のラインレーザー光照射装置において、
固定具のクランプ部は、断面略Ｃ型に形成され、Ｃ型の各自由端部から外方へ延びる座板片が形成され、各座板片にネジを貫通して締め付けて内径部を縮径させることでレーザーモジュールが固定される構成とし、
ケース内の底板には、クランプ部の座板片を包囲する断面コ字型の補助配置部が設けられているラインレーザー光照射装置。
【請求項６】
請求項１〜５のいずれか１項に記載のラインレーザー光照射装置において、
ケースの底板外面には、ラインレーザー光照射装置を斜め下から見上げたときに窓部でのラインレーザー光が目隠しされるように、レーザーモジュールから出射されるラインレーザー光のラインと平行に底板の一端から他端にわたり且つ窓部を挟んで下方へ延びる一対の平板状のツバ部が形成されているラインレーザー光照射装置。
【請求項７】
請求項１〜６のいずれか１項に記載のラインレーザー光照射装置の上部に取付け取外し可能な基台部と、
基台部に取付けられ、２本の平行な直線が上方から透視可能に上下に配置されるように施されている１又は２以上の透明材で構成されるゲージ部とを備え、
ゲージ部は、透明材の少なくとも一部が上から見て基台部の側方へ食み出し且つ基台部をラインレーザー光照射装置に取付けた状態において基台部から食み出したゲージ部を真上から見て上下２本の直線がラインレーザー光照射装置から出射されるラインレーザー光のライン上に一致するように構成されているラインレーザー光照射装置用の角度出し治具。
【請求項８】
請求項７に記載のラインレーザー光照射装置用の角度出し治具において、
２本の直線のうち上部の直線を施した透明材の表面には、上部の直線を跨いだ両側領域に写り込み防止用のマスキングが施されているラインレーザー光照射装置用の角度出し治具。
【請求項９】
請求項７に記載のラインレーザー光照射装置用の角度出し治具において、
２本の直線のうち上部の直線を跨いだ両側には、上部の直線に沿って立設する写り込み防止用の不透明材が設けられているラインレーザー光照射装置用の角度出し治具。
【請求項１０】
請求項７〜９のいずれか１項に記載のラインレーザー光照射装置用の角度出し治具において、
基台部は、ラインレーザー光照射装置の上面に配置される平板部と、平板部の対向する両端部から延設されてラインレーザー光照射装置の側面上部に沿って配置されるチャンネル部と、一方のチャンネル部に設けられ、基台部をラインレーザー光照射装置に固定するための固定ネジとを備えるラインレーザー光照射装置用の角度出し治具。
【発明の詳細な説明】
【技術分野】
【０００１】
本発明は、ライン状のレーザー光を照射するラインレーザー光照射装置及びラインレーザー光照射装置用の角度出し治具に関する。
【背景技術】
【０００２】
ラインレーザー光照射装置は、例えば、道路脇に立設したポールに取付けて路面の路肩等に向けてライン状のレーザー光を照射して吹雪や霧等の視程障害時でも道路の線形等を明示する視線誘導標として利用される。このようなラインレーザー光照射装置として、本出願人は、ライン状のレーザー光を出射するレーザーモジュールを矩形状のケース内に格納したレーザー光照射装置を提案している（特許文献１）。
【先行技術文献】
【特許文献】
【０００３】
【特許文献１】特願２０１６−１９７１６６
【発明の概要】
【発明が解決しようとする課題】
【０００４】
上記ラインレーザー光照射装置において、レーザーモジュールをケース内に格納する際、レーザーモジュールが出射するラインレーザー光のラインの向きを一定の方向を向くように配置しなければ、設置現場においてラインレーザー光のラインが道路等の照射面に対して目標線どおりにライン照射されないこととなる。特に、レーザーモジュールが円柱状の外形を有していると、レーザーモジュールの周方向のどの姿勢でラインレーザー光のラインの方向となるかを確認するのは容易ではない。
【０００５】
また、現場でラインレーザー光照射装置を設置する際、例えば、昼間の明るいときにはラインレーザー光照射装置から路面に照射されたラインレーザー光のラインを目視するのは困難である。従って、現実には、ラインレーザー光を照射させることなくラインレーザー光照射装置を正しい姿勢に設置する必要があり、この設置作業を簡単且つ確実に行えるようにすることが要望される。
【０００６】
本発明は、以上の事情に鑑みてなされたものであり、ラインレーザー光のラインの向きを一定の方向を向くようにレーザーモジュールをケース内に配置することが可能なラインレーザー光照射装置を提供することを目的とする。また、このラインレーザー光照射装置を設置現場にて簡単且つ確実に正しい姿勢に設定することを可能とする角度出し治具を提供することを目的とする。
【課題を解決するための手段】
【０００７】
本発明に係るラインレーザー光照射装置は、
円柱状の外形を有し、一方の円柱端面から照射面に対してライン状のレーザー光を出射するレーザーモジュールと、
レーザーモジュールのラインレーザー光を出射する円柱端面を臨ませる窓部を設ける四角形形状の底板、及び底板の外周縁から四角形筒状に立設する前後左右の側板を有し、内部にレーザーモジュールが格納されているケースとを備え、
ケース内の底板には、レーザーモジュールを保持する固定具を位置決め状態に配置する配置部が設けられ、
固定具は、レーザーモジュールを内径部に保持する円筒状のクランプ部と、クランプ部の円筒側壁に面を向けて形成された基板部とを備え、基板部においてクランプ部に保持するレーザーモジュールの円柱軸線方向を高さ方向とし、この高さ方向に対して直交方向を幅方向とした場合、レーザーモジュールのラインレーザー光のラインが基板部の幅方向に対して垂直又は平行となるようにレーザーモジュールがクランプ部に周方向への回動を阻止した状態で保持され、
配置部は、レーザーモジュールがケース内の底板に垂直に立つ状態となり且つ周方向への回動阻止状態となるように固定具を配設する部分であり、固定具の基板部の幅方向がケースの一側板の幅方向と垂直又は平行に配置されるように基板部の高さ方向一端部側を受け入れる構成とするものである。
【０００８】
また、本発明に係るラインレーザー光照射装置用の角度出し治具は、
上記ラインレーザー光照射装置の上部に取付け取外し可能な基台部と、
基台部に取付けられ、２本の平行な直線が上方から透視可能に上下に配置されるように施されている１又は２以上の透明材で構成されるゲージ部とを備え、
ゲージ部は、透明材の少なくとも一部が上から見て基台部の側方へ食み出し且つ基台部をラインレーザー光照射装置に取付けた状態において基台部から食み出したゲージ部を真上から見て上下２本の直線がラインレーザー光照射装置から出射されるラインレーザー光のライン上に一致するように構成されているものである。
【発明の効果】
【０００９】
本発明に係るラインレーザー光照射装置によれば、レーザーモジュールは、固定具の基板部に対してレーザーモジュールのラインレーザー光のラインの向きが一定方向を向くようにクランプ部に保持されている。これにより、レーザーモジュールが円柱状の外形を有していても固定具によりラインレーザー光のラインの向きが特定される。この固定具の基板部の向きは、ケース内の配置部により、ケースにおける四角形形状の前後左右の側板のうちの一側板に対して一定方向を向くように配置される。従って、本ラインレーザー光照射装置では、ケースの一側板に対してラインレーザー光のラインの向きが常に一定方向を向くようになる。よって、設置現場では、本ラインレーザー光照射装置をケースの側板の向きを一定の向きにして設置することにより、ラインレーザー光のラインが路面等の照射面に対して目標線どおりにライン照射させることができる。
【００１０】
また、本発明に係るラインレーザー光照射装置用の角度出し治具によれば、例えば、道路脇のポールに設置したラインレーザー光照射装置に取付けた状態で、基台部の側方に食み出したゲージ部を上から見ると、ゲージ部が透明材で構成されているので、下方の路面をゲージ部を透して見ることができる。この際、ゲージ部を透して見た路面上においてゲージ部の上下２本の直線が重なって１本の直線として見える位置がラインレーザー光照射装置のラインレーザー光のライン照射位置となる。従って、ゲージ部の上下２本の直線が重なって見える１本の直線がラインレーザー光を照射したい路面の目標線と一致するようにポールに取付けたラインレーザー光照射装置の角度調整を行えば、ラインレーザー光照射装置からのラインレーザー光が路面上の目標線どおりにライン照射されることとなる。よって、本角度出し治具を用いることにより、例えば、道路脇に立設したポールの所定位置に取付けたラインレーザー光照射装置においてラインレーザー光が路面の目標線どおりにライン照射されるようにラインレーザー光照射装置の姿勢を簡単且つ確実に設定することができる。
【図面の簡単な説明】
【００１１】
【図１】ラインレーザー光照射装置の設置状態を示す模式図である。
【図２】実施形態のラインレーザー光照射装置を示す斜視図である。
【図３】実施形態のラインレーザー光照射装置を示す断面図である。
【図４】レーザーモジュールの構成を示す模式図である。
【図５】レーザーモジュールを固定する固定具を示す図であり、同図（ａ）は固定具の斜視図であり、同図（ｂ）は固定具の正面図である。
【図６】レーザーモジュールを固定する固定具を配置したケース内の底面の構成を示す平面図である。
【図７】ケース内の底面の構成の他の例を示す平面図である。
【図８】ケース内のレーザーモジュールを保持する押え具を示す図であり、同図（ａ）は押え具の斜視図であり、同図（ｂ）は押え具の上面図である。
【図９】ラインレーザー光照射装置をポールに取り付けるための取付金具を示す平面図である。
【図１０】ポールに設置したラインレーザー光照射装置を角度調整するために角度出し治具を取り付けた状態を示す側面図である。
【図１１】角度出し治具の構成を示す図であり、同図（ａ）は角度出し治具の上面図であり、同図（ｂ）は角度出し治具の側面図である。
【図１２】角度出し治具のゲージ部の例を示す斜視図である。
【発明を実施するための形態】
【００１２】
以下に、本発明の実施形態を説明する。
本発明のラインレーザー光照射装置１は、例えば、図１に示すように、道路の上方のポールＰに単独で設置され、このラインレーザー光照射装置１が照射するレーザー光Ｒが路面にライン状の境界線Ｓを標示させる視線誘導装置として利用されるが、本発明は、これに限らず、新規又は既存の矢羽根標識その他各種の標識あるいは信号機等とともに設置することができ、また、ライン状の境界線の標示に限らず、その他各種の標示を行ったり道路上の各種の標識等にも利用できる。
【００１３】
図２、図３に示すように、実施形態のラインレーザー光照射装置１は、円柱状の外形を有するレーザーモジュール２と、レーザーモジュール２を保持する固定具５と、固定具５で保持するレーザーモジュール２を内部に格納するケース３とを備える。
【００１４】
図４に示すように、レーザーモジュール２は、レーザー光Ｒをラインビームとして出射して照射面にライン状のレーザー光Ｒが投影されるように構成されている。このレーザーモジュール２は、細長い円筒状のハウジング２１内に半導体レーザー素子２３、光学系部（コリメータレンズ２４、ラインビーム変換部２５）、半導体レーザー素子２３の駆動等の回路２６が格納され、ハウジング２１の先端面にはレーザー光出射口２２が円形状に開口形成されている。ハウジング２１は、放熱性（熱伝導性）に優れた材質、例えば、アルミニウム等の金属で形成され、半導体レーザー素子２３の動作により半導体レーザー素子２３や回路２６等から発する熱がハウジング２１を介して外部へ放熱される。このレーザーモジュール２では、半導体レーザー素子２３から発せられたレーザー光Ｒは、コリメータレンズ２４により平行光にされ、この平行光をラインビーム変換部２５によりラインビームに変換してレーザー光出射口２２から出射される。例えば、道路上の照射面には、レーザー光Ｒがライン状に投影される。なお、ラインビーム変換部２５は、例えば、プリズムレンズ、ミラー、偏光板等のいずれかの手段であってもよい。
【００１５】
図５に示すように、固定具５は、レーザーモジュール２を内径部に保持する円筒状のクランプ部５１と、クランプ部５１の円筒側壁に面を向けて形成された平板状の基板部５２とを備える。基板部５２は、長方形の平板状であり、クランプ部５１の円筒軸線方向に全長にわたって形成されている。基板部５２は、短辺の中央位置にクランプ部５１を配置しクランプ部５１の両側にまっすぐ延在するように形成されている。基板部５２は、対向する各長辺にはクランプ部５１を形成しない外面に突出する脚部５３が形成されている。この両側の脚部５３は、例えば水平な机上に載置させたとき基板部５２の延在方向を水平方向に向けることができ、この状態でレーザーモジュール２を回動させてラインレーザー光Ｒのラインの向きを垂直方向又は水平方向とすることで基板部５２の延在方向を基準にラインレーザー光Ｒのラインの向きを特定することができる。また、脚部５３は、基板部５２の強度補強にも寄与する。なお、脚部５３を設けない構成としてもよい（図７参照）。
【００１６】
クランプ部５１は、断面略Ｃ型に形成され、Ｃ型の各自由端部から外方へ延びる座板片５４が形成されており、各座板片５４にネジ５４ａを貫通してナット５４ｂに締め付けて内径部を縮径させることでレーザーモジュール２が周方向に回動するのを阻止した状態で固定される。クランプ部５１の内径部には、円筒軸線方向に延びる突条５５が等間隔に３箇所に形成されている。これにより、突条５５がレーザーモジュール２を圧接してレーザーモジュール２をクランプ部５１に強固に固定することができる。そして、基板部５２においてクランプ部５１に保持するレーザーモジュール２の円柱軸線方向（クランプ部５１の円筒軸線方向とも同じである。）を高さ方向とし、この高さ方向に対して直交方向を幅方向とした場合、レーザーモジュール２は、ラインレーザー光Ｒのラインが基板部５２の幅方向に対して垂直又は平行となるようにクランプ部５１に保持される。本実施形態では、レーザーモジュール２は、ラインレーザー光Ｒのラインが基板部５２の幅方向に対して垂直となるようにクランプ部５１に保持される。
【００１７】
図２、図３に示したように、ケース３は、直角四角形形状の底板３１と、底板３１の外周縁から四角形筒状に立設する前後左右の側板３２とを有し、側板３２の上端部を開放口３５とする矩形箱型形状に形成されている。ケース３は、樹脂、セラミック、金属等で形成することができるが、良好な断熱性を得るうえでは樹脂、セラミック等が好ましく、さらに良好な耐久性、生産性を得るうえでは樹脂製であるのが好ましい。
【００１８】
ケース３の開放口３５には、四隅を側板３２との間でビス止めしたフタ４が取り付けられている。フタ４は、外周縁には裏面側に突設して開放口３５の外周に外嵌する四角形筒状の枠板４１が設けられており、ケース３内に外部から水分が浸入しないようにしている。なお、フタ４の裏面外周部又はケース３の開放口３５には、環状のパッキン等のシール材が貼着されていてもよい。フタ４の外周形状は、側板３２の断面四角形形状や開放口３５の外周の四角形形状のそれぞれと相似した四角形形状となっている。
【００１９】
ケース３の底板３１には、中心位置にレーザーモジュール２のレーザー光出射口２２を臨ませる円形の窓部３３が開口形成されている。底板３１の内側面には、レーザーモジュール２を保持する固定具５を位置決め状態に配置する配置部３４が一体に形成されている。この配置部３４に配置されたレーザーモジュール２は、先端面（円筒端面）のレーザー光出射口２２を窓部３３に対向させるようにして底板３１上に起立状態に保持される。
【００２０】
配置部３４は、レーザーモジュール２がケース３内の底板３１に垂直に立つ状態となり且つ周方向への回動阻止状態となるように固定具５を配設する部分である。この配置部３４は、固定具５の基板部５２の幅方向がケース３の一側板３２の幅方向と垂直又は平行に配置されるように基板部５２の高さ方向一端部側を受け入れる壁板３４ａから構成されている。具体的に、図６に示すように、配置部３４を構成する壁板３４ａは、ケース３内の底板３１から立設され、固定具５の基板部５２の高さ方向一端部側におけるクランプ部５１形成部分を除く範囲を包囲するように一部を切り欠いた断面略長方形形状に形成されている。また、配置部３４に配置された固定具５に対して基板部５２の外側面に当接可能な一対の第１リブ３８とクランプ部５１の座板片５４に当接可能な一対の第２リブ３９とが対向する側板３２の各々の内側面に形成されている。これら第１リブ３８及び第２リブ３９により、配置部３４に配置した固定具５の位置ズレが防止される。第１リブ３８は、配置部３４にも一体化されており、配置部３４の強度補強にもなる。なお、図７に示すように、クランプ部５１の座板片５４を包囲する断面コ字型に立設する補助配置部３４１を底板３１に形成するようにしてもよい。第１リブ３８、第２リブ３９を設けない構成としてもよい（図７参照）。
【００２１】
図３に示したように、ケース３内には、配置部３４に配置されたレーザーモジュール２の後端部側（上端部側）を保持する押え具６が取付けられている。図８に示すように、押え具６は、断面台形状の円筒型のキャップ部６１と、キャップ部６１の下端に形成する長方形板状の取付板部６２とを有する。この押え具６は、キャップ部６１をレーザーモジュール２の後端部に被せてテーパー状の内面にレーザーモジュール２の後端（円柱端面）を当接させ、この状態で、キャップ部６１の下端から水平に延びる取付板部６２をその両端に形成した切欠き６３を通して対向する二側版の段部３２ｂにネジ止めされる。これにより、配置部３４に配置されたレーザーモジュール２が傾かないように保持される。キャップ部６１には、上面からテーパー状の側面に連続して切り欠き形成した連通口６４が設けられている。この連通口６４には、レーザーモジュール２の後端から引き出される電気コード２７が挿通される。
【００２２】
ケース３の４面の側板３２のうち一方側の対向する二つの側板３２は、上部が外方へ出張った膨出部３２ａとなっている。これら膨出部３２ａの下面のケース３内部分が押え具６をネジ止めする段部３２ｂを構成している。一方の膨出部３２ａには、防水コネクタＣが取り付けられている。防水コネクタＣには、押え具６の連通口６４から引き出されたレーザーモジュール２の電気コード２７が接続される。電気コード２７は、レーザーモジュール２の回路２６や半導体レーザー素子２３に電源供給したり回路２６に制御信号を入力するためのものである。
【００２３】
再び図２、図３を参照して、ケース３の底板３１の外面には、このラインレーザー光照射装置１を斜め下から見上げたときに底板３１の窓部３３でのレーザー光Ｒを目隠しするように下方へ延びるツバ部３７が設けられている。ツバ部３７は、底板３１の窓部３３から照射されるラインレーザー光Ｒのラインと平行に底板３１の一端から他端にわたって形成されるとともに、窓部３３を挟んで下方へ延びる一対の長方形平板状に形成されている。このツバ部３７は、不透明に構成されている。これにより、ラインレーザー光照射装置１が高所に設置されても略真下でない限り、窓部３３でのレーザー光Ｒを直視できないようにすることができる。従って、路上の歩行者や自動車の乗員等の通行者が、斜め下からラインレーザー光照射装置１側を見上げても、窓部３３でのレーザー光Ｒが目に直接入り込むことが防止され、道路上の通行者の安全性を確保することができる。
【００２４】
ケース３において、膨出部３２ａの下部に本ラインレーザー光照射装置１をポールＰ等の設置物に取り付けるための取付金具７が外嵌される。図９に示すように、この取付金具７は、例えば、コ字バンド金具７１をプレート金具７２にナット７３で締め付け固定したもので構成され、コ字バンド金具７１内にケース３をその下部から挿通させると、膨出部３２ａの下面がこの取付金具７に受け留められる。また、一方の膨出部３２ａの下部は、側板３２から外方へ突出する突片３２ｃが形成されており、この突片３２ｃと一方の膨出部３２ａの下面との間に取付金具７のコ字バンド金具７１が配置される。この状態でナット７３を締め込むと、取付金具７がケース３に強固に固定され、また、取付金具７のコ字バンド金具７１が突片３２ｃと一方の膨出部３２ａの下面との間に抜け止め状態に保持される。このように、ケース３は、取付金具７に受け留められるように膨出部３２ａを形成するので、ラインレーザー光照射装置１が落下しないように設置することができる。
【００２５】
取付金具７は、プレート金具７２がコ字型プレートで構成され、このコ字型プレートのコ字バンド金具７１を取り付けないプレート面をポールＰ側の取付金具８のプレート金具８２にボルト８３とナット８４で連結させるように構成されている。従って、ポールＰ側の取付金具８に対してボルト８３を支点にプレート金具７２の取付け角度が調整可能であり、よって、ポールＰに対してラインレーザー光照射装置１を角度調整自在とすることができる。なお、ポールＰ側の取付金具８は、ポールＰに外嵌させるステンバンド金具８１と、このステンバンド金具８１を連結部材８７を介してボルト８５とナット８６で固定するコ字型のプレート金具８２とを備える。なお、ラインレーザー光照射装置１側の取付金具７とポールＰ側の取付金具８とを角度調整可能にコ字型プレート金具７２，８２で連結するが、これに限らず、ラインレーザー光照射装置１側の取付金具７を角度調整可能とする連結手段であれば各種のものを使用することができる。
【００２６】
以上より、本実施形態に係るラインレーザー光照射装置１によれば、レーザーモジュール２は、固定具５の基板部５２の幅方向に対してレーザーモジュール２のラインレーザー光Ｒのラインの向きが垂直方向を向くようにクランプ部５１に保持されている。これにより、レーザーモジュール２が円柱状の外形を有していても固定具５によりラインレーザー光Ｒのラインの向きが特定される。この固定具５の基板部５２の幅方向は、ケース３内の配置部３４により、ケース３における四角形形状の前後左右の側板３２のうちの一側板３２の幅方向に対して垂直方向又は平行方向を向くように配置される。従って、本ラインレーザー光照射装置１では、ケース３の一側板３２の幅方向に対してラインレーザー光Ｒのラインの向きが常に垂直方向又は平行方向を向くようになる。具体的には、ツバ部３７の平面と対向面となっているケース３の一側板３２の幅方向に対してラインレーザー光Ｒのラインの向きが平行方向を向くように構成されている。よって、設置現場では、本ラインレーザー光照射装置１をケース３の側板３２の向きをラインレーザー光Ｒを照射する路面の目標線Ｔに沿うように所定の向きにして設置することにより、ラインレーザー光Ｒのラインが路面の照射面に対して目標線Ｔどおりにライン照射させることができる。
【００２７】
ところで、設置現場でラインレーザー光照射装置１を設置する際、例えば、昼間の明るいときにラインレーザー光Ｒを照射させることなくラインレーザー光照射装置１を正しい姿勢に設置する必要があり、この設置作業を簡単且つ確実に行えるようにするために、角度出し治具９が用いられる。図１０、図１１に示すように、この角度出し治具９は、ラインレーザー光照射装置１の上部に取付け取外し可能な基台部９１と、基台部９１に取付けられ、２本の平行な直線Ｌ１，Ｌ２が上方から透視可能に上下に配置されるように施されている２枚の透明板（透明材）９３で構成するゲージ部９２とを備える。
【００２８】
基台部９１は、ラインレーザー光照射装置１の上面に配置される長方形状の平板部９４と、平板部９４の対向する両端部となる各長辺から延設されてラインレーザー光照射装置１の側面上部に沿って配置される断面コ字型のチャンネル部９５と、基台部９１をラインレーザー光照射装置１に固定するための固定ネジ９６とを備える。固定ネジ９６は、一方のチャンネル部９５の側面に設けられ、この固定ネジ９６を捻じ込んでラインレーザー光照射装置１の側面に圧接させることで基台部９１がラインレーザー光照射装置１の上部に固定される。
【００２９】
ゲージ部９２は、図１２（ａ）も参照して、一対の長尺なコ字型支持部材９７と、コ字型支持部材９７の上面と下面とにそれぞれ取り付けられた２枚の長方形形状の透明板９３とを備える。コ字型支持部材９７は、立板部９７１と、立板部９７１の上端と下端とからそれぞれ直角に折れ曲がって一方の側方に延びる横板部９７２とを有する。ゲージ部９２は、一対のコ字型支持部材９７をそれぞれの横板部９７２を外向きにして立板部９７１を離間させて隙間を設けるように配置し、上下それぞれの横板部９７２の外面に透明板９３を取り付けた構成とする。上下の透明板９３には、一対のコ字型支持部材９７間の隙間の配置箇所において長手方向に沿って同一の垂直線上に直線Ｌ１，Ｌ２が施されている。
【００３０】
これにより、ゲージ部９２を上から見ると、コ字型支持部材９７に遮られることなく上下の透明板９３に施した各直線Ｌ１，Ｌ２を視認することができる（図１０参照）。このゲージ部９２は、長手方向が基台部９１の平板部９４の長手方向と一致する向きにして平板部９４の上面に取付けられている。そして、ゲージ部９２は、上から見て基台部９１の側方へ食み出し且つ基台部９１をラインレーザー光照射装置１に取付けた状態において基台部９１から食み出したゲージ部９２を真上から見て上下２本の直線Ｌ１，Ｌ２がラインレーザー光照射装置１から出射されるラインレーザー光Ｒのライン上に一致する位置となるように基台部９１に取付けられている。すなわち、ラインレーザー光照射装置１は、上述のとおり、レーザーモジュール２のケース３内の設置位置からラインレーザー光Ｒのラインの位置がケース３及びフタ４の所定位置と対応している。また、ラインレーザー光Ｒのラインの向きは、ケース３の底板３１のツバ部３７の幅方向と平行している。従って、角度出し治具９をラインレーザー光照射装置１に取付けた状態においてケース３及びフタ４の位置関係からゲージ部９２の２本の直線Ｌ１，Ｌ２がともにラインレーザー光Ｒのラインの垂直線上と一致するようにゲージ部９２が基台部９１に取付けられている。
【００３１】
設置現場において、ポールＰに取付けたラインレーザー光照射装置１に対して、角度出し治具９は、ラインレーザー光照射装置１のツバ部３７の平面と対向面となっている対向二側板３２に対して基台部９１の各チャンネル部９５が配置されるように取り付ける。このとき、基台部９１の各チャンネル部９５は、ケース３に取付けたフタ４の枠板４１と対面されるが、フタ４の外周形状は、ケース３の側板３２の断面四角形形状と相似形となっているので、基台部９１の長手方向及びゲージ部９２の長手方向、つまり、透明板９３に施した直線Ｌ１，Ｌ２の向きは、ツバ部３７の平面の延在方向、つまりラインレーザー光Ｒのラインの向きと一致する。そして、基台部９１の側方に食み出したゲージ部９２を上から見て、ゲージ部９２を透して見た路面上においてゲージ部９２の上下２本の直線Ｌ１，Ｌ２が重なって１本の直線として見える位置がラインレーザー光照射装置１のラインレーザー光Ｒのライン照射位置となる。従って、ゲージ部９２の上下２本の直線Ｌ１，Ｌ２が重なって見える１本の直線がラインレーザー光Ｒを照射したい路面の目標線Ｔと一致するように取付金具７を介してポールＰに取付けたラインレーザー光照射装置１の角度調整を行えば、ラインレーザー光照射装置１からのラインレーザー光Ｒが路面上の目標線Ｔどおりにライン照射されることとなる。
【００３２】
以上より、本角度出し治具９を用いることにより、道路脇に立設したポールＰの所定位置に取付けたラインレーザー光照射装置１においてラインレーザー光Ｒが路面の目標線Ｔどおりにライン照射されるようにラインレーザー光照射装置１の姿勢を簡単且つ確実に設定することができる。
【００３３】
ゲージ部９２の上下２本の直線Ｌ１，Ｌ２は、同色に施されていてもよいが、異なる色とすれば上から見たときに２本の直線Ｌ１，Ｌ２が１本の直線として重なって見えているか否か判断し易くなる。ゲージ部９２の一対のコ字型支持部材９７は、不透明材とすることにより透明板９３に外景が写り込むことを抑えて透明板９３を透して下方の目的物（路面等）を見やすくすることができる。また、上側の透明板９３において直線Ｌ１を跨いだ両側領域に、マスキングＭ（図１１（ａ）参照）を施したり、直線Ｌ１に沿って立設する不透明材９８（図１２（ｂ）参照）を設けたりすることによっても透明板９３に外景が写り込むことを防止して透明板９３を透して下方の目的物を見やすくすることができる。
【００３４】
また、ゲージ部９２は、図１２（ｃ）に示すように、１枚の透明材９３１における対向する二端面にそれぞれ直線Ｌ１，Ｌ２を施し、この透明材９３１を立てた状態にして一対のコ字型支持部材９７で挟むように配置して構成してもよい。これにより、２枚の透明板９３にてそれぞれの直線Ｌ１，Ｌ２が垂直線上に配置されるように２枚の透明板９３を設置する場合に比べて容易に上下２本の直線Ｌ１，Ｌ２を垂直線上に配置することができ、また、透明材の使用枚数も低減することができる。
さらに、この場合、図１２（ｄ）に示すように、透明材９３１の高さを一対のコ字型支持部材９７よりも低くすることにより、透明材９３１の上方に配置される一対のコ字型支持部材９７によって透明材９３１に外景が写り込むことを防止することができる。
また、図１２（ｅ）に示すように、ゲージ部９２を二端面にそれぞれ直線Ｌ１，Ｌ２を施した１枚の透明材９３２だけで構成し、この１枚の透明材９３２を立てた状態にして基台部９１に直接取り付けるようにしてもよい。これにより、一対のコ字型支持部材９７を用いずに角度出し治具９を作製することができる。
【００３５】
なお、本発明は、上述の実施形態のみに限定されず、特許請求の範囲の記載から逸脱しない範囲で各種の変更を施すことが可能である。
【符号の説明】
【００３６】
１  ラインレーザー光照射装置
２  レーザーモジュール
３  ケース
５  固定具
６  押え具
９  角度出し治具
３１  底板
３２  側板
３３  窓部
３４  配置部
３４ａ  壁板
３７  ツバ部
３８  第１リブ
３９  第２リブ
５１  クランプ部
５２  基板部
５４  座板片
９１  基台部
９２  ゲージ部
９３  透明板
９４  平板部
９５  チャンネル部
９６  固定ネジ
９８  不透明材
３４１  補助配置部
Ｌ１，Ｌ２  直線
Ｍ  マスキング
【図１】
2018080459.tif 000003
【図２】
2018080459.tif 000004
【図３】
2018080459.tif 000005
【図４】
2018080459.tif 000006
【図５】
2018080459.tif 000007
【図６】
2018080459.tif 000008
【図７】
2018080459.tif 000009
【図８】
2018080459.tif 000010
【図９】
2018080459.tif 000011
【図１０】
2018080459.tif 000012
【図１１】
2018080459.tif 000013
【図１２】
2018080459.tif 000014